(57)【要約】【課題】従来の釣竿用タグは、紐やゴムを用いて釣糸ガイドの脚部にぶら下げ状態で取り付けていたため、客が釣竿を振って調子を確認するときに、タグがバタバタしてしまい、調子を確認し難かった。店頭で釣竿が展示されているときに、タグの訴求面が必ずしも客の視線の正面にくるわけではなく、一々客が手にとって確認しなければならない場合も多かった。【解決手段】横長のシート３と、シートの長手方向に間隔をおいて形成された２つの穴９、１３と、それぞれの穴からシート縁まで直線状に延びた２つの切込み１１、１５とを備えた釣竿用タグ１。一方の穴９に切込み１１を介して釣糸ガイドの脚部ｆを通し、他方の穴１３に切込み１５を介して竿体ｓを通すことで、２つの穴の間の訴求面１７を釣糸ガイド側に表出させた状態で釣竿にガタつかせずにしっかりと取付けられる。【選択図】        図２
2011019417.tif 000002
【特許請求の範囲】
【請求項１】
横長のシートと、前記シートの長手方向に間隔をおいて形成された２つの穴と、それぞれの穴からシート縁まで直線状に延びた２つの切込みとを備え、
一方の穴に切込みを介して釣糸ガイドの脚部を通し、他方の穴に切込みを介して竿体を通すことで、前記２つの穴の間のシート面を前記竿体より表側にもってきた状態で釣竿に取付けられることを特徴とする釣竿用タグ。
【請求項２】
請求項１に記載した釣竿用タグにおいて、
竿体取付け穴の穴縁を挟んでまたは前記穴縁よりシート長手方向中央寄りに、シート短手方向両端のシート縁まで直線状に延びた折り目を備えることを特徴とする釣竿用タグ。
【請求項３】
請求項２に記載した釣竿用タグにおいて、
竿体取付け側切込みは竿体取付け穴からシート長手方向端のシート縁まで延びており、
折り目は前記竿体取付け穴の穴縁を挟んで一対備えられており、各折り目はシート縁に向かうに従ってシート長手方向中央側に漸次近づくよう、斜めに延びていることを特徴とする釣竿用タグ。
【請求項４】
請求項１から３のいずれかに記載した釣竿用タグにおいて、
竿体取付け穴内で竿体の外周面に近づくよう対向して延出する一対の係合延出部を備えることを特徴とする釣竿用タグ。
【請求項５】
請求項１から４のいずれかに記載した釣竿用タグにおいて、
脚部取付け側切込みは、脚部取付け穴のシート短手方向中間部からシート長手方向端のシート縁まで延びており、
さらに、前記脚部取付け穴内で延出して、シート短手方向両端側をそれぞれ閉塞する一対のフラップを備えることを特徴とする釣竿用タグ。
【発明の詳細な説明】
【技術分野】
【０００１】
本発明は、釣竿に取付けるタグに関するものである。
【背景技術】
【０００２】
釣竿は竿体に釣糸ガイド等が取り付けられた状態で、小売店で販売されている。その際、釣竿やガイドのプロモーションツールとしてタグを釣竿に取付ける事が、一般的に行われている。
【先行技術文献】
【特許文献】
【０００３】
【特許文献１】実開平７−５３６７号公報
【発明の概要】
【発明が解決しようとする課題】
【０００４】
従来の釣竿用タグ１０１は、特許文献１にも記載されているが、図８に示すように、紐やゴム１０３を用いて釣糸ガイドの脚部ｆにぶら下げ状態で取り付けていた。
しかしながら、このようにタグを取り付けると、客が釣竿を振って調子を確認するときに、タグがバタバタしてしまい、調子を確認し難かった。また、店頭で釣竿が展示されているときに、タグの訴求面、即ちメーカー名等が記載された面が必ずしも客の視線の先にこない場合も多く、その場合には客が一々手にとって確認しなければならなかった。
特許文献１の図１〜図１２には別の形態のタグも示されているが、小売店では、釣竿は釣糸ガイドの導糸環を正面に向かせた状態で展示しておく場合が多い。そのため、上記した別の形態のタグでもその訴求面が側方を向いてしまい見難くなってしまう。また、小売店ではそれぞれの事情、例えば、棚の高さとか照明の位置を考慮してタグの位置を変える場合があるが、上記したタグでは着脱は容易ではない。さらに、上記したタグでは、結束具が必要になり、製造コストも上がってしまう。
【０００５】
それ故、本発明は、上記課題を解決するために、形状の工夫された釣竿用タグを提供することを目的とする。
【課題を解決するための手段】
【０００６】
本発明者は、鋭意研究の結果、横長のシートの長手方向両端側にそれぞれ、穴と、前記穴をシート縁に開口させるための切込みを設けて、一方の穴に竿体を通し、他方の穴に釣糸ガイドの脚部を通して取り付ける形態にすることで、単純な形状ながら、複数の課題を同時に解決できることを確認し、本発明を完成させるに至った。
【０００７】
本発明の請求項１の発明は、横長のシートと、前記シートの長手方向に間隔をおいて形成された２つの穴と、それぞれの穴からシート縁まで直線状に延びた２つの切込みとを備え、一方の穴に切込みを介して釣糸ガイドの脚部を通し、他方の穴に切込みを介して竿体を通すことで、前記２つの穴の間のシート面を前記竿体より表側にもってきた状態で釣竿に取付けられることを特徴とする釣竿用タグである。
【０００８】
請求項２の発明は、請求項１に記載した釣竿用タグにおいて、竿体取付け穴の穴縁を挟んでまたは前記穴縁よりシート長手方向中央寄りに、シート短手方向両端のシート縁まで直線状に延びた折り目を備えることを特徴とする釣竿用タグである。
【０００９】
請求項３の発明は、請求項２に記載した釣竿用タグにおいて、竿体取付け側切込みは竿体取付け穴からシート長手方向端のシート縁まで延びており、折り目は前記竿体取付け穴の穴縁を挟んで一対備えられており、各折り目はシート縁に向かうに従ってシート長手方向中央側に漸次近づくよう、斜めに延びていることを特徴とする釣竿用タグである。
【００１０】
請求項４の発明は、請求項１から３のいずれかに記載した釣竿用タグにおいて、竿体取付け穴内で竿体の外周面に近づくよう対向して延出する一対の係合延出部を備えることを特徴とする釣竿用タグである。
【００１１】
請求項５の発明は、請求項１から４のいずれかに記載した釣竿用タグにおいて、脚部取付け側切込みは、脚部取付け穴のシート短手方向中間部からシート長手方向端のシート縁まで延びており、さらに、前記脚部取付け穴内で延出して、シート短手方向両端側をそれぞれ閉塞する一対のフラップを備えることを特徴とする釣竿用タグである。
【発明の効果】
【００１２】
本発明の釣竿用タグは、ブラブラしたりガタついたりせずに、釣竿にしっかりと取り付けられ、取り付けたときには訴求面を釣糸ガイドの導糸環側に安定的にもってこられる。また、紐等シート以外の素材は必要としないので、製造コストが安くなる。さらに、着脱が容易で何度でも付け変えできる。
加えて、本発明の釣竿用タグは、一方の穴を釣糸ガイドに装着する際にも切込みには脚部だけが通るので、導糸環の大きさが異なってもまた一本足・二本足の区別なく、一律に製造したタグで汎用的に取り付けることができる。
【図面の簡単な説明】
【００１３】
【図１】本発明の第1の実施の形態に係る釣竿用タグとそれを取り付ける釣竿の斜視図である。
【図２】図１の釣竿用タグを釣竿に取り付けた状態を示す斜視図である。
【図３】第２の実施の形態に係る釣竿用タグを釣竿に取り付けた状態を示す斜視図である。
【図４】第３の実施の形態に係る釣竿用タグの平面図と、それを釣竿に取り付けた状態を示す斜視図である。
【図５】第４の実施の形態に係る釣竿用タグの平面図と、それを釣竿に取り付けた状態を示す斜視図である。
【図６】第５の実施の形態に係る釣竿用タグの平面図と、それを釣竿に取り付けた状態を示す斜視図である。
【図７】第６の実施の形態に係る釣竿用タグの平面図である。
【図８】従来のガイド用タグを釣竿に取り付けた状態を示す斜視図である。
【発明を実施するための形態】
【００１４】
本発明の第1の実施の形態に係る釣竿用タグ１を、図１、図２に従って説明する。
この釣竿用タグ１は一枚の紙で形成されている。本体をなすシート３は横長の長方形をしており、短手方向両端を画定するシート縁５、６と長手方向両端を画定するシート縁７、８は互いに平行に対向している。
シート３のシート縁７側には脚部取付け穴９が形成されている。この脚部取付け穴９はシート３の長手方向中心線ｃを跨いで、シート短手方向に長い長円状に形成されており、中心線ｃに対して対称になっている。符号１１は切込みを示し、この切込み１１は脚部取付け穴９のシート縁７側から直線状に延びてそのままシート縁７に至っている。切込み１１は中心線ｃ上にある。従って、脚部取付け穴９は切込み１１を介してシート縁７側に開口していることになる。
【００１５】
シート３のシート縁８側には竿体取付け穴１３が形成されている。この竿体取付け穴１３はシート３の長手方向中心線ｃを跨いで、シート長手方向に長い略長円状に形成されており、中心線ｃに対して対称になっている。符号１５は切込みを示し、この切込み１５は竿体取付け穴１３のシート縁８側から、直線状に延びてそのままシート縁８に至っている。切込み１５は中心線ｃ上にある。従って、竿体取付け穴１３は切込み１５を介して近い方のシート縁８側に開口していることになる。
【００１６】
上記した構成の釣竿用タグ１を、図２に示すように、釣竿に取り付ける。
具体的には、切込み１１を上下左右に開いてその隙間に釣糸ガイドの脚部ｆを通して脚部取付け穴９内まで導く。また、切込み１５を上下左右に開いてその隙間に竿体ｓを通して竿体取付け穴１３内まで導く。
このように取り付けると、タグ１の一端側が脚部ｆを抱きかかえ、他端側が竿体ｓを抱きかかえた姿勢となるので、ブラブラしたりガタついたりせずに、釣竿にしっかりと取り付けられる。
また、このように取り付けることで、脚部取付け穴９と竿体取付け穴１３の間のメインのシート面、即ち釣糸ガイド側を向いた訴求面１７は竿体ｓより表側にもってこられる。
加えて、紐等を使用しないで取付けるので、着脱も容易である。さらに、取付けをする毎に切込み１１、１５が元に戻り難くなり、徐々に開いてしまうが、切込み１１、１５は脚部ｆや竿体ｓの裏側に回り込んでいるので、店頭で展示する際にも目立たない。
【００１７】
本発明の第２の実施の形態に係る釣竿用タグ１９を、図３に従って説明する。
この釣竿用タグ１９には、竿体取付け穴１３のシート長手方向中央側の穴縁よりさらに若干中央寄りに折り目２１が形成されている点が、第1の実施の形態に係る釣竿用タグ１と異なっている。この折り目２１はシート縁５、６の間で、シート縁７、８に平行に直線状に延びている。
折り目２１を訴求面１７側が表側にくるように山折りし、後は釣竿用タグ１と同様にして釣糸ガイドの脚部ｆと竿体ｓにそれぞれ取り付ける。
折り目２１を山折りすると、竿体取付け穴１３は起立した面、すなわち竿体ｓに垂直に近い角度で交差する面上にあることになる。従って、竿体取付け穴１３に竿体ｓが挿し込まれた後も、訴求面１７は湾曲せずに平坦な状態を保ち、一層見易くなっている。
【００１８】
本発明の第３の実施の形態に係る釣竿用タグ２３を、図４に従って説明する。
この釣竿用タグ２３では、竿体取付け穴２５の形状と折り目の位置が、第２の実施の形態に係る釣竿用タグ１９と異なっている。竿体取付け穴２５の穴縁は、略円形の軌跡ｘを基に設定されており、シート長手方向中央側は直線状に切り取られており、その切り取り縁２７はシート縁７、８と平行になっている。また、シート縁８側寄りのシート短手方向両側からは、２コブらくだのコブのような係合延出部２９が穴内に延出している。従って、係合延出部２９は通される竿体ｓの外周面に近づくように延出していることになる。
また、折り目３１、３２は、切り取り縁２７のシート短手方向両端からシート縁５、６にそれぞれ延びており、シート縁７、８と平行になっている。
なお、シート３の角部も折り曲がらないように小さく丸みが付けられている。
【００１９】
折り目３１、３２を訴求面１７が表側にくるように山折りした後、竿体取付け穴２５に竿体ｓを通す。
竿体取付け穴２５に細竿ｓ1を通した場合には、シート長手方向両端側の穴縁だけでなく、係合延出部２９の先端が細竿ｓ１の両側に当接して細竿ｓをしっかりと抱きかかえた姿勢となるので、ガタついたりせずに、釣竿にしっかりと取り付けられる。
一方、竿体取付け穴２５に太竿ｓ２を通した場合には、係合延出部２９が折り込まれ、その折り曲げ部が太竿ｓ２の両側に当接して太竿ｓ２をしっかりと抱きかかえた姿勢となるので、同様にガタついたりせずに、釣竿にしっかりと取り付けられる。また、竿体取付け穴２５を無理に広げてはいないので、穴の周囲に亀裂ができたりするようなことはない。
このように、細竿ｓ１にも太竿ｓ２にも適用できる。
【００２０】
本発明の第４の実施の形態に係る釣竿用タグ３３を、図５に従って説明する。
この釣竿用タグ３３では、折り目３５、３６が、第３の実施の形態に係る釣竿用タグ２３と異なっている。
折り目３５、３６は、切り取り縁２７のシート短手方向両端からシート縁５、６にそれぞれ向かうに従ってシート長手方向中央側に漸次近づくよう、斜めに延びている。この折り目３５、３６から先は折込み片３７、３８になっており、折り込み易いように角部には大きく丸みが付けられている。  
折り目３５、３６をそれぞれ山折りすると、折り目３５、折り目３６から先の折込み片３７、３８は互いに交差して係合する。従って、竿体取付け穴２５から竿体ｓが一層外れ難くなっている。
【００２１】
本発明の第５の実施の形態に係る釣竿用タグ３９を、図６に従って説明する。
この釣竿用タグ３９では、脚部取付け穴４１の形状が、第３の実施の形態に係る釣竿用タグ２３と異なっている。
脚部取付け穴４１の穴縁はシート短手方向に長い矩形をしており、シート縁７側の角部には小さく丸みが付けられている。
穴内ではシート中央側からシート縁７に向かって一対のフラップ４３、４３が延出している。各フラップ４３は穴縁に沿って略角形をしており、穴内のシート短手方向両端側をそれぞれ殆ど閉塞している。各フラップ４３の基端側には折り目４５が形成されている。フラップ４３同士の間には隙間４７が残されている。
また、切込み１１は開口端側では丸みが付けられており、開口端に向かうに従って大きく左右に広がっている。
【００２２】
脚部ｆ１が一本の場合のように比較的細い場合には、隙間４７にそのまま通す。この場合には、各フラップ４３がその一本の脚部ｆ１の両側に当接してしっかりと抱きかかえた姿勢となるので、ガタついたりせずに、釣竿にしっかりと取り付けられる。
一方、脚部が二本の場合のように比較的幅広の場合には、フラップ４３、４３を折り目４５、４５で谷折りして立たせて、脚部取付け穴４１を全開した状態で通す。この場合には、脚部取付け穴４１の穴縁が二本の脚部ｆ２の両側に当接してしっかりと抱きかかえた姿勢となるので、ガタついたりせずに、釣竿にしっかりと取り付けられる。
このように、釣糸ガイドの脚部の数や太さが異なっても適用できる。
また、切込み１１は開口端側で広がっているので脚部ｆ１、ｆ２を通し易くなっている。
【００２３】
本発明の第６の実施の形態に係る釣竿用タグ４９を、図７に従って説明する。
この釣竿用タグ４９では、脚部取付け穴９側の切込み５１がシート縁５側に延びている点が、第５の実施の形態に係る釣竿用タグ３３と異なっている。
このように、切込みの位置は適宜変更できる。
【００２４】
以上、本発明の実施の形態を説明したが、本発明の具体的構成が上記の実施の形態に限定されるものではなく、本発明の要旨から外れない範囲での設計変更があっても本発明に含まれる。
例えば、上記の実施の形態では、いずれもシートは紙で形成されているが、プラスチックで形成してもよい。
また、第５の実施の形態では、フラップ４３はシート中央側からシート縁７に向かって延出しているが、その反対にシート縁７側からシート中央側に向かって延出しても、またシート縁５、６側から延出させてもよい。
いずれにしても、特許請求されている形状等を除いては、従来からあるまたは将来案出される形状や素材や製法を任意に組み合わせることができる。
【産業上の利用可能性】
【００２５】
本発明に係る釣竿ガイド用タグによれば、シート材だけで形成できるので、製造が容易なだけでなく、製造コストも紐などを併用した場合より安く済む。
また、訴求面に切れ目が有ると図柄等を印刷するときに合わせ難いが、当該釣竿用タグによれば、切れ目がないので印刷も容易となる。
【符号の説明】
【００２６】
１‥‥釣竿用タグ（第１の実施の形態）
３‥‥シート                            ５、６‥‥（長手方向）シート縁
７、８‥‥（短手方向）シート縁          ９‥‥脚部取付け穴
１１‥‥脚部取付け穴側切込み            １３‥‥竿体取付け穴
１５‥‥竿体取付け穴側切込み            １７‥‥訴求面
１９‥‥釣竿用タグ（第２の実施の形態）
２１‥‥折り目
２３‥‥釣竿用タグ（第３の実施の形態）
２７‥‥切り取り縁                      ２９‥‥係合延出部
３１、３２‥‥折り目
３３‥‥釣竿用タグ（第４の実施の形態）
３５、３６‥‥折り目                    ３７、３８‥‥折込み片
３９‥‥釣竿用タグ（第５の実施の形態）
４１‥‥脚部取付け穴                    ４３‥‥フラップ
４５‥‥折り目                          ４７‥‥隙間
４９‥‥釣竿用タグ（第６の実施の形態）
５１‥‥（脚部取付け穴側の）切込み
ｆ‥‥（釣糸ガイドの）脚部              ｓ‥‥竿体
ｃ‥‥中心線
【図１】
2011019417.tif 000003
【図２】
2011019417.tif 000004
【図３】
2011019417.tif 000005
【図４】
2011019417.tif 000006
【図５】
2011019417.tif 000007
【図６】
2011019417.tif 000008
【図７】
2011019417.tif 000009
【図８】
2011019417.tif 000010